(57)【要約】【課題】騒音源の回転体の個体ばらつき等があっても最適な回転数に設定でき、装置毎の騒音レベルのばらつきを少なくし、しかも比較的大きな騒音にも対処可能な画像形成装置を提供する。【解決手段】回転体４０６（４０７）の騒音レベルを記憶する記憶手段１０８と、前記回転体４０６（４０７）の騒音を計測する騒音計測手段４０３と、計測騒音を打ち消す音声を発音体４０４を通して出力する音声出力手段４０３と、計測騒音のレベルが記憶された目標騒音レベルと異なる場合には、計測された騒音レベルが目標騒音レベルに合致するように、前記回転体４０６（４０７）の回転数を制御し、さらに、計測された騒音レベルを基準にした干渉性に最適な音声を出力させるように制御する制御手段４０２とを備えている。【選択図】      図９
2011252985.tif 000002
【特許請求の範囲】
【請求項１】
回転体の動作時の目標騒音レベルのデータを記憶する記憶手段と、
前記回転体の騒音を計測する騒音計測手段と、
前記回転体の動作時の騒音を打ち消すための音声信号を発音体を通して出力するための音声出力手段と、
前記騒音計測手段により計測された騒音レベルを前記記憶手段に記憶されている目標騒音レベルと比較する比較手段と、
計測された騒音レベルが前記記憶手段に記憶された目標騒音レベルと異なる場合には、計測された騒音レベルが記憶されている目標騒音レベルに合致するように前記回転体の回転数を制御するとともに、回転数が制御された状態で前記音声出力手段による音声信号の出力を行わせる制御手段と、
を備えたことを特徴とする画像形成装置。
【請求項２】
前記回転体が複数個存在しており、
騒音計測時には、複数の回転体の各回転数をそれぞれ異ならせて回転させた状態で各回転体の回転数を検出する請求項１に記載の画像形成装置。
【請求項３】
前記騒音計測手段は騒音をマイクロフォンで集音して計測する請求項１または２に記載の画像形成装置。
【請求項４】
前記騒音計測手段は、回転体が定常回転数に達した時に、騒音レベルの計測を開始する請求項１〜３のいずれかに記載の画像形成装置。
【請求項５】
前記マイクロフォンと前記発音体とは、回転体の近傍に配置されている請求項３に記載の画像形成装置。
【請求項６】
前記制御手段は、計測された騒音レベルと記憶されている目標騒音レベルとの差分に基づいて前記回転体の回転数を制御する請求項１〜５のいずれかに記載の画像形成装置。
【請求項７】
前記制御手段は、回転体の回転数を一定の割合で増加または減少させながら、前記騒音計測手段により計測された回転体の騒音レベルが前記目標騒音レベルに合致するように制御する請求項１〜６のいずれかに記載の画像形成装置。
【請求項８】
回転体の騒音を計測する騒音計測ステップと、
前記回転体の動作時の騒音を打ち消すための音声信号を発音体を通して出力するための音声出力ステップと、
前記騒音計測ステップにおいて計測された騒音レベルを、記憶手段に記憶されている回転体の目標騒音レベルと比較する比較ステップと、
計測された騒音レベルが前記記憶手段に記憶された目標騒音レベルと異なる場合には、計測された騒音レベルが記憶されている目標騒音レベルに合致するように前記回転体の回転数を制御するとともに、回転数が制御された状態で前記音声出力ステップにおける音声信号の出力を行わせる制御ステップと、
を備えたことを特徴とする画像形成装置の騒音防止方法。
【請求項９】
前記回転体の騒音を計測する騒音計測ステップと、
前記回転体の動作時の騒音を打ち消すための音声信号を発音体を通して出力するための音声出力ステップと、
前記騒音計測ステップにおいて計測された騒音レベルを、記憶手段に記憶されている回転体の目標騒音レベルと比較する比較ステップと、
計測された騒音レベルが前記記憶手段に記憶された目標騒音レベルと異なる場合には、計測された騒音レベルが記憶されている目標騒音レベルに合致するように前記回転体の回転数を制御するとともに、回転数が制御された状態で前記音声出力ステップにおける音声信号の出力を行わせる制御ステップと、
を、画像形成装置のコンピュータに実行させるための騒音防止プログラム。
【発明の詳細な説明】
【技術分野】
【０００１】
この発明は、ファン等の回転体に対する騒音防止機能を備えたＭＦＰ（Multi Function Peripherals）等に用いられる画像形成装置、同装置の騒音防止方法及び騒音防止プログラムに関する。
【背景技術】
【０００２】
ＭＦＰ等の画像形成装置では、騒音源としての回転体、例えばファンに対する回転制御は、図１３に示すように、モード（例えばモノクロモード、カラーモード）毎に予め設定した制御信号を制御基板３００に実装されたＣＰＵ３０１から１つまたは複数（例えば二つ）のファン３０２，３０３に入力することにより、これらファン３０２，３０３回転数を変更させて最適なファン風量および騒音レベルを得るようになっている。
【０００３】
例えば、定着部の上側には、用紙を冷却したり、用紙の付着をを防止するためのファンが設けられており、このファンについて、モノクロもしくはカラー／紙種／サイズ／片面もしくは両面／排紙オプションの有無／温度の条件の組み合わせで制御信号を変更することにより、ファンの回転数を変化させて、前記騒音防止や用紙の付着防止を図り、冷却性能も満足させている。
【０００４】
このように、画像形成装置では、ファンの騒音防止等を有効に発揮させるために該ファンの回転数を厳密に管理しているのが現状である。
【０００５】
また、従来、いわゆるＡＮＣ（アクティブ・ノイズ・コントロール）システムとして、ファンの近傍に発音体としてスピーカーを配置し、このスピーカーからの音声によりファンの騒音を打ち消すようにした技術が提案されている。（例えば、特許文献１参照）。
【先行技術文献】
【特許文献】
【０００６】
【特許文献１】特願平４−１６９４０１号公報
【発明の概要】
【発明が解決しようとする課題】
【０００７】
しかし、従来のように、予め設定した制御信号でファンの回転数を制御する構成においては、ファン自体の個体ばらつきや供給する電源電圧のばらつき等を考慮すると、装置毎に同じ制御信号を入力しても、同じファン回転数（騒音レベル）が得られないという問題がある。
【０００８】
また、先行技術のように、ＡＮＣシステムを導入して騒音源であるファンの騒音を低減させる場合においても、スピーカーから発生させる打ち消し用の音声を装置毎等のファンの回転数のばらつきに対応させなければ、十分な消音効果が得られないという問題があった。
【０００９】
この発明は、上記実情に鑑みてなされたものであり、騒音源の回転体の個体ばらつき等があっても最適な回転数に設定でき、装置毎のあるいは同一回転数に設定される回転体毎の騒音レベルのばらつきを少なくし、ＡＮＣ制御を有効に発揮させることができる画像形成装置及び同装置の騒音防止方法を提供し、さらには前記騒音防止方法を画像形成装置のコンピュータに実行させるための騒音防止プログラムの提供を課題とする。
【課題を解決するための手段】
【００１０】
上記課題は、以下の手段によって解決される。
（１）回転体の動作時の目標騒音レベルのデータを記憶する記憶手段と、前記回転体の騒音を計測する騒音計測手段と、前記回転体の動作時の騒音を打ち消すための音声信号を発音体を通して出力するための音声出力手段と、前記騒音計測手段により計測された騒音レベルを前記記憶手段に記憶されている目標騒音レベルと比較する比較手段と、計測された騒音レベルが前記記憶手段に記憶された目標騒音レベルと異なる場合には、計測された騒音レベルが記憶されている目標騒音レベルに合致するように前記回転体の回転数を制御するとともに、回転数が制御された状態で前記音声出力手段による音声信号の出力を行わせる制御手段と、を備えたことを特徴とする画像形成装置。
（２）前記回転体が複数個存在しており、騒音計測時には、複数の回転体の各回転数をそれぞれ異ならせて回転させた状態で各回転体の回転数を検出する前項１に記載の画像形成装置。
（３）前記騒音計測手段は騒音をマイクロフォンで集音して計測する前項１または２に記載の画像形成装置。
（４）前記騒音計測手段は、回転体が定常回転数に達した時に、騒音レベルの計測を開始する前項１〜３のいずれかに記載の画像形成装置。
（５）前記マイクロフォンと前記発音体とは、回転体の近傍に配置されている前項３に記載の画像形成装置。
（６）前記制御手段は、計測された騒音レベルと記憶されている目標騒音レベルとの差分に基づいて前記回転体の回転数を制御する前項１〜５のいずれかに記載の画像形成装置。
（７）前記制御手段は、回転体の回転数を一定の割合で増加または減少させながら、前記騒音計測手段により計測された回転体の騒音レベルが前記目標騒音レベルに合致するように制御する前項１〜６のいずれかに記載の画像形成装置。
（８）回転体の騒音を計測する騒音計測ステップと、前記回転体の動作時の騒音を打ち消すための音声信号を発音体を通して出力するための音声出力ステップと、前記騒音計測ステップにおいて計測された騒音レベルを、記憶手段に記憶されている回転体の目標騒音レベルと比較する比較ステップと、計測された騒音レベルが前記記憶手段に記憶された目標騒音レベルと異なる場合には、計測された騒音レベルが記憶されている目標騒音レベルに合致するように前記回転体の回転数を制御するとともに、回転数が制御された状態で前記音声出力ステップにおける音声信号の出力を行わせる制御ステップと、を備えたことを特徴とする画像形成装置の騒音防止方法。
（９）前記回転体の騒音を計測する騒音計測ステップと、前記回転体の動作時の騒音を打ち消すための音声信号を発音体を通して出力するための音声出力ステップと、前記騒音計測ステップにおいて計測された騒音レベルを、記憶手段に記憶されている回転体の目標騒音レベルと比較する比較ステップと、計測された騒音レベルが前記記憶手段に記憶された目標騒音レベルと異なる場合には、計測された騒音レベルが記憶されている目標騒音レベルに合致するように前記回転体の回転数を制御するとともに、回転数が制御された状態で前記音声出力ステップにおける音声信号の出力を行わせる制御ステップと、を、画像形成装置のコンピュータに実行させるための騒音防止プログラム。
【発明の効果】
【００１１】
前項（１）に記載の発明によれば、騒音源である回転体の動作時の目標騒音レベルがデータとして予め記憶手段に記憶されており、騒音計測手段により計測された騒音レベルが記憶手段に記憶されている目標騒音レベルと比較され、両者が異なる場合には、計測される騒音レベルが目標騒音レベルに合致するように回転体の回転数が制御される。このため、装置毎の回転体あるいは同一回転数に設定される回転体の回転数を一定に制御でき、回転体の個体のばらつきや供給電圧のばらつきに起因する回転数のばらつきをなくすことができる。また、回転数が制御された状態でＡＮＣ制御が行われ騒音打ち消し用の音声が出力されるので、騒音打ち消し用の音声信号を、回転体の回転数のばらつきにあわせて調整する必要もない。
【００１２】
前項（２）に記載の発明によれば、複数の回転体の騒音計測時には、各回転数をそれぞれ異ならせて回転させた状態で各回転体の回転数が検出されるので、各ファンの騒音の周波数帯もずれるので、ファン毎の騒音レベルを検出しやすくなる。
【００１３】
前項（３）に記載の発明によれば、騒音をマイクロフォンで集音して計測できる。
【００１４】
前項（４）に記載の発明によれば、回転体が定常回転数に達した時に、騒音レベルの計測を開始するので、回転体の騒音レベルを正確に把握して、目標騒音レベルと比較でき、精度の高い制御を行うことができる。
【００１５】
前項（５）に記載の発明によれば、マイクロフォンと発音体とは、騒音源である回転体の近傍に配置されているので、回転体の騒音を精度良く計測可能となり、また効率よくＡＮＣ制御を行うことができる。
【００１６】
前項（６）に記載の発明によれば、前記制御手段は、計測された騒音レベルと目標騒音レベルとの差分に基づいて回転数の制御が行われるので、制御が容易、かつ正確に行える。
【００１７】
前項（７）に記載の発明によれば、回転体の回転数を一定の割合で増加または減少させながら、計測された回転体の騒音レベルが前記目標騒音レベルに合致するように制御するから、制御が容易、かつ正確に行える。
【００１８】
前項（８）に記載の発明によれば、装置毎の回転体あるいは同一回転数に設定される回転体の回転数を一定に制御でき、回転体の個体のばらつきや供給電圧のばらつきに起因する回転数のばらつきをなくすことができる。また、回転数が制御された状態でＡＮＣ制御が行われ騒音打ち消し用の音声が出力されるので、騒音打ち消し用の音声信号を、回転体の回転数のばらつきにあわせて調整する必要もない。
【００１９】
前項（９）に記載の発明によれば、計測された騒音レベルを記憶手段に記憶されている目標騒音レベルと比較し、両者が異なる場合には、計測される騒音レベルが目標騒音レベルに合致するように回転体の回転数を制御する処理を、画像処理装置のコンピュータに実行させることができる。
【図面の簡単な説明】
【００２０】
【図１】この発明の一実施形態にかかる画像形成装置としてのＭＦＰを示す概略構成図である。
【図２】ＭＦＰの定着部のファン設置状況を示す斜視図である。
【図３】ＭＦＰの電気的構成を示すブロック図である。
【図４】ＡＮＣの原理的構成図である。
【図５】ＡＮＣによる動作説明用の波形図である。
【図６】ＡＮＣによる騒音制御処理の流れを示すフローチャートである。
【図７】ＡＮＣが導入された回転体制御部の構成を示すブロック図である。
【図８】単体のファンの回転数制御後の騒音レベルの説明図である。
【図９】単体のファンの回転数の制御処理の流れを示すフローチャートである。
【図１０】モード毎に記憶されている騒音レベルを示すテーブルである。
【図１１】複数のファンの回転数制御後の騒音レベルの説明図である。
【図１２】複数のファンの回転数の制御処理の流れを示すフローチャートである。
【図１３】従来の回転体制御部の構成を示すブロック図である。
【発明を実施するための形態】
【００２１】
以下、この発明の一実施形態を図面に基づいて説明する。
【００２２】
図１は、この発明の一実施形態にかかる画像形成装置としてのＭＦＰを示す概略構成図である。
【００２３】
図１において、このＭＦＰ１００は、原稿画像を読み取る読み取り部１０５と、画像処理部１０６と、画像データを印刷する画像形成部１０７と、用紙給紙部２０１と、排紙部１０１とを備えている。
【００２４】
前記画像形成部１０７は、イエロー（Ｙ），マゼンタ（Ｍ），シアン（Ｃ），ブラック（Ｋ）にそれぞれ対応する画像形成ユニット５０Ｙ，５０Ｍ，５０Ｃ，５０Ｋや転写ベルト５１等を有している他、用紙に転写されたトナー像を定着させる定着部４００等を有している。
【００２５】
前記画像読み取り部１０５で原稿画像が読み取られ、その画像データは、画像処理部１０６で処理されて、画像形成部１０７に送給される。ここで、画像データは、画像形成ユニット５０Ｙ，５０Ｍ，５０Ｃ，５０Ｋにより各色の画像データに対応したトナー像が形成され、各色のトナー像は、転写ベルト５１に転写される。
【００２６】
一方、給紙部２０１から給紙された用紙は、画像形成部１０７まで搬送される。そして、前記転写ベルト５１から各色のトナー像が用紙に転写された後、この用紙は、定着部４００に搬送されてトナー像が定着された後、排紙部１０１に排紙される。
【００２７】
前記定着部４００には、図２に示すように、用紙を冷却したり、付着するのを防止するために、ファン４０６，４０７が設置されている。
【００２８】
また、これらファン４０６，４０７の近傍には、ファン４０６，４０７の回転動作時の騒音に対する消音データを発するための発音体としてのスピーカー４０４や、マイクロフォン（以下、マイクという）４０５が配設されており、前述したＡＮＣ制御（図４参照）を行いうるものとなされている。
【００２９】
図３は、このＭＦＰ１００の電気的構成を示すブロック図である。
【００３０】
図３において、このＭＦＰ１００は、ＣＰＵを備えた制御部１０１と、操作パネル部１０２と、ＲＯＭ１０３と、ＲＡＭ１０４と、画像読み取り部１０５と、画像処理部１０６と、画像形成部１０７と、データ記憶部１０８と、外部インターフェース（Ｉ／Ｆ）部１０９と、ユーザ識別部１１０とを備えている。
【００３１】
前記制御部１０１は、ＭＦＰ１００の全体の動作を統括制御するが、特にこの実施形態では、ファン４０６，４０７等の回転体の制御、前述したＡＮＣ制御等を実施する。
【００３２】
前記操作パネル部１０２は、例えばＬＣＤ等からなる表示部１０２Ａと、キー部１０２Ｂとを備えている。表示部１０２Ａは、様々な機能の操作設定を行う際に使用でき、また、各種メッセージ等が表示可能である。また、キー部１０２は、例えばテンキー、スタートボタン、ストップボタン等を有している。
【００３３】
前記ＲＯＭ１０３は、前記制御部１０１の動作プログラムが格納されたメモリである。
【００３４】
前記ＲＡＭ１０４は、制御部１０１が動作する際の作業領域を提供するメモリである。
【００３５】
前記画像読み取り部１０５は、原稿等の画像を読み取り電子データ化するものである。
【００３６】
前記画像処理部１０６は、画像読み取り部１０５からの画像データに紙予定の画像処理を施して画像形成部１０７に送出するものである。
【００３７】
前記画像形成部１０７は、画像データを所定のジョブ条件に従って用紙にプリントするためのエンジン機能を有するものである。
【００３８】
前記データ記憶部１０８は、各種データを記憶するものである。ここでは、前記ファン４０６，４０７の回転動作時に発生する騒音レベルの目標値等や、ファン４０６，４０７の回転動作時の騒音を計測したデータ、消音用の逆位相データも格納されている。
【００３９】
前記外部Ｉ／Ｆ部１０９は、例えば社内ＬＡＮ等のネットワーク１１１を介して接続された図示しないユーザ端末（例えばパーソナルコンピュータ：ＰＣという）との間でのデータの送受信を行う通信機能を有するものである。
【００４０】
前記ユーザ識別部１１０は、例えば赤外線センサ等により装置周囲に近接したユーザを検知したり、ログインするユーザＩＤを無線通信で検出してユーザを識別する機能を有している。
【００４１】
図４は、ＡＮＣ制御機構の原理的構成図である。
【００４２】
図４において、ＡＮＣ制御機構は、主に、騒音源である回転体例えばファン１１の近傍に配置された騒音集音用のマイク１２と、マイク１２からの音声信号を受けてファン１１が発生する騒音波形と同振幅で逆位相の音声信号（図５参照）を生成する信号処理部１３と、信号処理部１３で生成された逆位相の音声信号を出力する発音体としてのスピーカー１４と、ファン１１の騒音とスピーカー１４の音声との相互干渉による合成音源を検出して前記信号処理部１３にフィードバック信号として送出する誤差検出用のマイク１５とを備えている。
【００４３】
具体的には、マイク１２により騒音源であるファン１１の回転動作音が集音されて、信号処理部１３により騒音レベルが計測される。一方、信号処理部１３により騒音レベルと同じ振幅で逆位相の音声信号が生成され、逆位相音声用のスピーカー１４を介して前記逆位相の音声信号が出力される。これにより、図５に示すように、ファン１１からの騒音と逆位相の音声との相互干渉により該ファン１１からの騒音が打ち消される。
【００４４】
さらに、ファン１１からの騒音とスピーカー１４からの逆位相音声との相互干渉による合成音声が前記マイク１５により検出され、その検出信号が信号処理部１３にフィードバックされることにより、振幅特性および位相特性が調整されるので、ファン１１が発生する騒音に対する相殺効果が有効に発揮される。
【００４５】
なお、フィードバック制御を行わず、誤差検出用のマイク１５が不要な場合ある。
【００４６】
図６は、ＡＮＣによる騒音制御処理の流れを示すフローチャートである。
【００４７】
図６において、ステップＳ１では、ファン１１で発生する騒音をマイク１２により検知し、ステップＳ２では、信号処理部１３により、計測した騒音に対する逆位相の音声信号を生成する。ステップＳ３では、信号処理部１３により生成された逆位相音声をスピーカー１４から出力して、ファン１１で発生する騒音に対して合成させて相互干渉させる。
【００４８】
ステップＳ４では、誤差検出用のマイク１５により、ファン１１で発生する騒音と前記スピーカー１４からの逆位相音声との合成音声を計測し、ステップＳ５では、計測信号で信号処理部１３にフィードバックをかけて、逆位相の音声の振幅特性および位相特性を調整する。
【００４９】
ステップＳ６では、終了指示があるか否かを判断し、終了指示がなければ（ステップＳ６でＮＯ）、ステップＳ５に戻り、終了指示があれば（ステップＳ６でＹＥＳ）、そのまま終了する。
【００５０】
図７は、ＡＮＣが導入された回転体制御部の構成を示すブロック図である。
【００５１】
図７において、この回転体制御部は、制御基板４００に実装されたＣＰＵ４０２（図３の制御部１０１に相当）と、ＡＮＣ制御基板４０１に実装されるとともに、ＤＳＰ（Digital Signal Processor) で構成された信号処理部４０３と、１個または複数個のファン４０６，４０７の近傍に配置された集音用のマイク４０５と、信号処理部４０３によって生成された音声信号を出力する発音体としてのスピーカー４０４とを備えている。
【００５２】
なお、この例では、騒音データの解析機能や音声の出力機能等を前記信号処理部４０３に持たせてあるが、これらの各機能を個別の手段で実現してもよく、またＣＰＵ４０２により実現しても良い。
【００５３】
前記ＣＰＵ４０２は、ファン４０６（４０７）に対してモード毎に回転数の制御信号を送出するとともに、ファン４０６（４０７）の騒音データと、データ記憶部１０８に記憶されている目標騒音データを比較して、ファン４０６（４０７）の騒音データがデータ記憶部１０８に記憶されている目標騒音データに合致するように、ファン４０６（４０７）に対する回転数制御信号を出力する。勿論、前記ＣＰＵ４０２と信号処理部４０３とで制御を振り分けなくても、どちらか一方ですべての制御を行わせるようにしてもよい。
【００５４】
上記構成においては、ファン４０６（４０７）の回転による騒音がマイク４０５で検出され、その検出された騒音信号を信号処理部４０３は騒音データとしてＣＰＵ４０２に送信する。ＣＰＵ４０２は、計測された騒音レベルを、既にデータベースとしてデータ記憶部（図３）１０８に記憶されている目標値の騒音レベルと比較し、両者のレべルが異なる場合には、計測された騒音レベルが目標騒音レベルに一致するように、回転制御信号を切り換えて前記ファン４０６（４０７）に送給する。
【００５５】
これにより、ファン４０６（４０７）の回転数が目標の回転数と一致し、最適なファン風量と騒音レベルになる。この状態で、前記ＡＮＣ制御を実施する。つまり、騒音と逆位相音声をスピーカー４０４から出力し、騒音に対する相殺効果を発揮させる。
【００５６】
つぎに、単体のファン４０６（４０７）の回転数制御後の騒音レベルについて図８を参照して説明する。
【００５７】
まず、従来では、モード毎に予め設定した制御信号を制御基板におけるＣＰＵからファンに送出することにより、ファンの回転数を設定値に維持するようにしていたが、この場合、ファン自体の個体のばらつきや供給する電源電圧のばらつき等のために、同じ制御信号を入力しても厳密には装置毎に回転数が僅かに異なり、従って騒音レベルにも差異が生じていた。この結果、図８（Ａ）に示すように、ある周波数帯域でのファンの騒音レベルは、目標値よりも高くなる（回転数が過度に大きくなる）か、あるいは目標値よりも低くなる（回転数不足）状態となっていた。
【００５８】
これに対して、この実施形態の回転数制御部の構成においては、ファン４０６（４０７）に対して、検知された騒音レベルがデータ記憶部１０８に記憶されている目標の騒音レベルに一致するように、回転制御信号を切り換えて送給することにより、図８（Ｂ）に示すように、ファン４０６（４０７）の回転数を目標値に合わせ込むことができ、装置毎のある周波数帯域でのファンの騒音レベルのばらつきを低減することができる。
【００５９】
この結果、ファン４０６（４０７）の回転数を設定された値に維持した状態で、前述したＡＮＣ制御を実施できるので、図８（Ｃ）に示すように、ファン４０６（４０７）の騒音に対して有効な消音効果を発揮させることができ、また、騒音打ち消し用の音声信号を、ファンの回転数のばらつきにあわせて調整する必要もない。
【００６０】
図９は、単体のファン４０６（４０７）の回転数の制御処理の流れを示すフローチャートである。この処理は、ＭＦＰ１００のＣＰＵ１０１（４０２）がＲＯＭ１０３等の記録媒体に記録された動作プログラムに従って動作することにより実行される。
【００６１】
図９において、ステップＳ１１では、ファン４０６（４０７）を動作させる。この場合、例えば、印刷モードが「モノクロ」で「片面」、紙種が普通紙、用紙ＣＤサイズが１８２ｍｍ未満といった条件で印刷を開始したものとする。
【００６２】
ステップＳ１２では、ファン４０６（４０７）が定常回転数に達したか否かを判断し、ファン４０６（４０７）が定常回転数に達しなければ（ステップＳ１２でＮＯ）、達するまで待つ。ファン４０６（４０７）が定常回転数に達すれば（ステップＳ１２でＹＥＳ）、ステップＳ１３では、ファン４０６（４０７）の騒音レベルを計測する。上記条件の場合、図１０（Ａ）に示すように、ファン４０６（４０７）の騒音レベルは４０ｄＢと記憶されている。
【００６３】
ステップＳ１４では、計測した騒音レベルが予め記憶されている目標の騒音レベルと差があるか否かを判断し、計測した騒音レベルが目標騒音レベルと差があれば、（ステップＳ１４でＹＥＳ）、ステップＳ１５では、計測した騒音レベルが目標騒音レベルに合致するように、ファン４０６（４０７）に対する制御信号を切り換えて回転数を調整してから、ステップＳ１４に戻る。この場合、ファンの回転数を一定の割合で増加または減少させながら、計測された騒音レベルが目標騒音レベルと同じかどうかを調べていく。これにより、容易にかつ正確に、計測された騒音レベルを目標騒音レベルに合致させることができる。
【００６４】
具体的には、前記計測した騒音レベルが、例えば４０．５ｄＢだった場合、装置のばらつきにより、記憶されている騒音レベルよりも＋０．５ｄＢだけずれていることを確認する。そして、ファン４０６（４０７）の制御信号のＤｕｔｙ比を一定の割合で調整することにより、計測騒音レベルを記憶されている目標騒音レベル（４０ｄＢ）に合致させる。
【００６５】
なお、ここで使用しているファン４０６（４０７）は、制御信号のＤｕｔｙ比を調整することにより、ファン４０６（４０７）の回転数が制御されるようになっているものである。
【００６６】
計測した騒音レベルと予め記憶している目標騒音レベルとの差がなければ（ステップＳ１４でＮＯ）、ステップＳ１６でＡＮＣ制御を実施する。
【００６７】
図１０（Ａ），（Ｂ）は、印刷モード毎に予め記憶されているファン４０６（４０７）の騒音レベルを示すテーブルである。
【００６８】
図１０（Ａ）は、印刷モードが「モノクロ」の場合における「片面」、「両面」の各騒音レベルを示し、例えば、「片面」においては、普通紙よりも厚紙の方がｄｕｔｙ比（％）および騒音レベル（ｄＢ）が小さい値（回転数が小さい）となっている。また、「両面」の普通紙の場合には、「片面」よりもＤｕｔｙ比（％）および騒音レベル（ｄＢ）が大きい値（回転数が大きい）となっている。
【００６９】
図１０（Ｂ）は、印刷モードが「カラー」の場合における「片面」、「両面」の各騒音レベルを示し、印刷モードが「モノクロ」の場合よりも、Ｄｕｔｙ比（％）および騒音レベル（ｄＢ）が大きい値となっている。
【００７０】
つぎに、複数のファン４０６，４０７の各回転数を制御する場合について、図１１（Ａ）〜（Ｄ）を参照して説明する。なお、図１１及び図１２では、ファン４０６，４０７をファンＡ、Ｂとも記している。
【００７１】
複数（例えば２つ）のファン４０６，４０７の各回転数を制御する場合、各ファン４０６，４０７が略同一の回転数であれば、ファン４０６，４０７毎のある周波数帯での騒音レベルが図１１（Ａ）に示すように、目標値を超えていても両者の区別がつかないため、同時に回転数を検出することができない。
【００７２】
このため、図１１（Ｂ）に示すように、ファン４０６，４０７の各回転数をずらすことでファン４０６，４０７毎の区別を可能とし、この状態でそれぞれのファン４０６，４０７に対する制御信号を調整する。これにより、図１１（Ｃ）に示すように、ファン４０６，４０７のある周波数帯での騒音レベルを、同じ目標値に合わ込ませることができる。そして、ＡＮＣ制御を行うことにより、図１１（Ｄ）に示すように、複数のファン４０６，４０７のある周波数帯域での騒音レベルを有効に低減させることができる。
【００７３】
図１２は、複数（例えば二つ）のファン４０６，４０７の各回転数の制御処理の流れを示すフローチャートである。この処理は、ＭＦＰ１００のＣＰＵ１０１（４０２）がＲＯＭ１０３等の記録媒体に記録された動作プログラムに従って動作することにより実行される。
【００７４】
図１２において、ステップＳ２１では、ファン４０６，４０７を動作させる。ステップＳ２２では、ファン４０６，４０７の両方が定常回転に達したか否かを判断し、ファン４０６，４０７の両方が定常回転に達していなければ（ステップＳ２２でＮＯ）、達するまで待ち、ファン４０６，４０７の両方が定常回転に達していれば（ステップＳ２２でＹＥＳ）、ステップＳ２３に進む。
【００７５】
ステップＳ２３では、ファン４０６，４０７の両方共に、それぞれの記憶されている目標騒音レベルと同じか否かを判断し、ファン４０６，４０７の両方共に、それぞれの目標騒音レベルと違っていれば（ステップＳ２３でＮＯ）、ステップＳ２４では、一方のファン４０６，４０７の回転数がずれるように、ファン４０６，４０７に対する制御信号を変更する。
【００７６】
ステップＳ２５では、ファン４０６，４０７のそれぞれについて、設定した制御信号による回転時の騒音データと目標騒音データとのずれ量（差分）を確認し、ステップＳ２６では、ファン４０６，４０７のそれぞれについて、目標騒音データになるように、各制御信号を調整したのち、ステップＳ２３に戻る。この場合、ファンの回転数を一定の割合で増加または減少させながら、計測された騒音レベルが目標騒音レベルと同じかどうかを調べていく。これにより、容易にかつ正確に、計測された騒音レベルを目標騒音レベルに合致させることができる。
【００７７】
ファン４０６，４０７の両方共に、それぞれの目標騒音レベルと同じになれば（ステップＳ２３でＹＥＳ）、ステップＳ２７でＡＮＣ制御を実施する。
【符号の説明】
【００７８】
１００    ＭＦＰ（画像形成装置）
１０１    ＣＰＵ
１０３    ＲＯＭ
１０８    記憶部
４０２    制御部（ＣＰＵ）
４０５    マイクロフォン
４０３    信号処理部
４０４    スピーカー
４０６，４０７・・・ファン
【図１】
2011252985.tif 000003
【図２】
2011252985.tif 000004
【図３】
2011252985.tif 000005
【図４】
2011252985.tif 000006
【図５】
2011252985.tif 000007
【図６】
2011252985.tif 000008
【図７】
2011252985.tif 000009
【図８】
2011252985.tif 000010
【図９】
2011252985.tif 000011
【図１０】
2011252985.tif 000012
【図１１】
2011252985.tif 000013
【図１２】
2011252985.tif 000014
【図１３】
2011252985.tif 000015